(57)【要約】      （修正有）【課題】アクセスポイントの探索時間を短縮して探索処理に要する消費電力の低減を図り得る構成を提供する。【解決手段】携帯端末２において、無線ＬＡＮ通信部４０による無線通信の際にアクセスポイントに接続している接続時間をタイマー１４を利用して計測し、この計測開始後にアクセスポイントとの通信が遮断されると、遮断までに計測された接続時間が、アクセスポイントを特定するアクセスポイント情報に関連付けられて累積されるように記憶部１１に記憶する。記憶部にアクセスポイント情報及び接続時間を含めた実績データが記憶されていない場合、電波強度検出部５０にて検出される電波強度に応じてアクセスポイントを選択し、記憶部に実績データが記憶されている場合、実績データにおいて関連付けられる接続時間が最も長いアクセスポイント情報から特定されるアクセスポイントを選択する。【選択図】図２
2020027998.tif 000002
【特許請求の範囲】
【請求項１】
アクセスポイントを介して外部機器と無線通信を行う無線通信装置であって、
無線通信可能な範囲に存在する複数の前記アクセスポイントのうち通信対象となるアクセスポイントを選択するための選択部と、
前記選択部により選択された前記アクセスポイントを介して無線通信を行う通信部と、
前記アクセスポイントに接続した際の電波強度を検出する検出部と、
前記通信部による無線通信の際に前記アクセスポイントに接続している接続時間を計測する計測部と、
前記計測部による計測開始後に前記アクセスポイントとの通信が遮断されると、当該遮断までに前記計測部により計測された接続時間が、当該アクセスポイントを特定するアクセスポイント情報に関連付けられて累積されるように記憶される記憶部と、
を備え、
前記選択部は、前記記憶部に前記アクセスポイント情報及び前記接続時間を含めた実績データが記憶されていないと、前記検出部にて検出される前記電波強度に応じて前記アクセスポイントを選択し、前記記憶部に前記実績データが記憶されていると、当該実績データにおいて関連付けられる前記接続時間が最も長いアクセスポイント情報から特定される前記アクセスポイントを選択することを特徴とする無線通信装置。
【請求項２】
前記選択部は、前記通信部にて無線通信が開始されてから所定時間経過するまで、前記検出部にて検出される前記電波強度に応じて前記アクセスポイントを選択し、前記所定時間が経過すると、前記記憶部に記憶される前記実績データにおいて関連付けられる前記接続時間が最も長いアクセスポイント情報から特定される前記アクセスポイントを選択することを特徴とする請求項１に記載の無線通信装置。
【請求項３】
前記所定時間を調整可能な調整部を備えることを特徴とする請求項２に記載の無線通信装置。
【請求項４】
前記接続時間及び前記アクセスポイント情報は、所定のタイミングにて前記記憶部から消去されることを特徴とする請求項１〜３のいずれか一項に記載の無線通信装置。
【発明の詳細な説明】
【技術分野】
【０００１】
本発明は、無線通信装置に関するものである。
【背景技術】
【０００２】
従来、携帯型の無線通信装置はバッテリで駆動することから、できるだけ長時間使用できるように消費電力を低減するため、例えば、無線通信時に無線機能をオン状態とし、無線を使用しない場合に無線機能をオフ状態とするように運用されることが多い。その一方で、オフ状態の無線機能をオン状態に切り替えた際には、安定した通信を確保するために、電波強度の強いアクセスポイントを探索して接続するように制御される。このようなアクセスポイントの探索では、通信可能な範囲に多くのアクセスポイントが存在する場合、または、多くの無線チャネルを使用する場合に、探索対象が多くなるため、電波強度の強いアクセスポイントを探索するために時間がかかる場合がある。
【０００３】
このような問題に対して、電波強度の強いアクセスポイントを探索する探索時間を短縮する技術として、例えば、下記特許文献１に開示される無線ＬＡＮシステムが知られている。この無線ＬＡＮシステムでは、各アクセスポイントは、蓄積した履歴に基づきローミングの回数が多い順にローミング先のアクセスポイントをスキャンチャネル候補として決定し、このように設定されたスキャンチャネル候補を自アクセスポイントに接続しに来た移動端末装置に対して通知するように構成されている。このため、移動端末装置では、通知されたスキャンチャネル候補内の全てのチャネルをスキャンし、最大のＲＳＳＩ（受信電力強度）が得られたチャネルをローミング先チャネルとして決定している。
【先行技術文献】
【特許文献】
【０００４】
【特許文献１】特開２００３−２６４５６５号公報
【発明の概要】
【発明が解決しようとする課題】
【０００５】
ところで、上記特許文献１のような構成では、無線通信にて使用可能となるチャネルが増えるほど、スキャンチャネル候補ごとにアクセスポイントを検索するため、スキャンチャネル候補が多い場合には、電波強度の強いアクセスポイントを探索するための探索時間が長くなってしまう。このようにアクセスポイントの探索時間が長くなると、無線機能を使用しない場合にその都度無線機能をオフ状態にしたとしても、消費電力の低減を十分に図れないという問題がある。
【０００６】
本発明は、上述した課題を解決するためになされたものであり、その目的とするところは、アクセスポイントの探索時間を短縮して探索処理に要する消費電力の低減を図り得る構成を提供することにある。
【課題を解決するための手段】
【０００７】
上記目的を達成するため、特許請求の範囲の請求項１に記載の発明は、
アクセスポイント（６０，６０ａ〜６０ｃ）を介して外部機器と無線通信を行う無線通信装置（２）であって、
無線通信可能な範囲に存在する複数の前記アクセスポイントのうち通信対象となるアクセスポイントを選択するための選択部（１０）と、
前記選択部により選択された前記アクセスポイントを介して無線通信を行う通信部（４０）と、
前記アクセスポイントに接続した際の電波強度を検出する検出部（５０）と、
前記通信部による無線通信の際に前記アクセスポイントに接続している接続時間を計測する計測部（１４）と、
前記計測部による計測開始後に前記アクセスポイントとの通信が遮断されると、当該遮断までに前記計測部により計測された接続時間が、当該アクセスポイントを特定するアクセスポイント情報に関連付けられて累積されるように記憶される記憶部（１１）と、
を備え、
前記選択部は、前記記憶部に前記アクセスポイント情報及び前記接続時間を含めた実績データが記憶されていないと、前記検出部にて検出される前記電波強度に応じて前記アクセスポイントを選択し、前記記憶部に前記実績データが記憶されていると、当該実績データにおいて関連付けられる前記接続時間が最も長いアクセスポイント情報から特定される前記アクセスポイントを選択することを特徴とする。
なお、上記各括弧内の符号は、後述する実施形態に記載の具体的手段との対応関係を示すものである。
【発明の効果】
【０００８】
請求項１の発明では、通信部による無線通信の際にアクセスポイントに接続している接続時間が計測部により計測され、計測部による計測開始後にアクセスポイントとの通信が遮断されると、当該遮断までに計測部により計測された接続時間が、当該アクセスポイントを特定するアクセスポイント情報に関連付けられて累積されるように記憶部に記憶される。そして、選択部では、記憶部にアクセスポイント情報及び接続時間を含めた実績データが記憶されていないと、検出部にて検出される電波強度に応じてアクセスポイントが選択され、記憶部に上記実績データが記憶されていると、当該実績データにおいて関連付けられる接続時間が最も長いアクセスポイント情報から特定されるアクセスポイントが選択される。
【０００９】
これにより、記憶部に実績データとしてアクセスポイント情報が記憶されるアクセスポイントは接続実績が有り、その中でも接続時間が長いアクセスポイントに接続した場合には、電波強度が強くなることが想定される。このため、記憶部に記憶される実績データにおいて関連付けられる接続時間が最も長いアクセスポイント情報から特定されるアクセスポイントを選択して、この選択されたアクセスポイントを介して無線通信を行うことで、接続実績に基づいてアクセスポイントを選択できるだけでなく、使用可能なチャネルごとにアクセスポイントを探索する必要もない。したがって、アクセスポイントの探索時間を短縮して探索処理に要する消費電力の低減を図ることができる。
【００１０】
請求項２の発明では、選択部により、通信部にて無線通信が開始されてから所定時間経過するまで、検出部にて検出される電波強度に応じてアクセスポイントが選択され、上記所定時間が経過すると、記憶部に記憶される実績データにおいて関連付けられる接続時間が最も長いアクセスポイント情報から特定されるアクセスポイントが選択される。
【００１１】
これにより、上記所定時間経過するまでは電波強度が高いアクセスポイントを探索するための探索処理が必要になるが、その所定時間を利用して周囲環境に応じたアクセスポイント情報やその接続時間が実績データとして記憶部に累積されやすくなる。このため、その周囲環境により適したアクセスポイントを選択しやすくなり、不適切なアクセスポイントが選択され難くなるので、上記所定時間が経過してから以降のアクセスポイントの探索時間を確実に短縮することができる。
【００１２】
請求項３の発明では、上記所定時間を調整可能な調整部を備えるため、例えば、アクセスポイントが少ない環境で使用する場合にはアクセスポイントが多い環境で使用するよりも上記所定時間を短く調整するなど、その使用環境に適するように上記所定時間を調整することができる。
【００１３】
請求項４の発明では、接続時間及びアクセスポイント情報は、所定のタイミングにて記憶部から消去される。これにより、例えば、一定時間経過した時や電源投入時、ユーザによる所定の操作時などの所定のタイミングで、記憶部に記憶される接続時間及びアクセスポイント情報を消去できる。すなわち、例えば、別の場所に移動等することで使用環境が変化した場合でも、上記所定のタイミングとなることで、その変化した使用環境に適したアクセスポイントを選択しやすい実績データを迅速に再構築することができる。
【図面の簡単な説明】
【００１４】
【図１】本発明の第１実施形態に係る携帯端末を備える無線通信システムを概念的に例示する説明図である。
【図２】図１の携帯端末の電気的構成を例示するブロック図である。
【図３】図１のアクセスポイントの電気的構成を例示するブロック図である。
【図４】第１実施形態において行われるアクセスポイント探索処理の流れを例示するフローチャートである。
【図５】アクセスポイント情報及び接続時間が関連付けられた実績データを説明する説明図である。
【図６】第１実施形態の第１変形例において行われるアクセスポイント探索処理の流れを例示するフローチャートである。
【発明を実施するための形態】
【００１５】
以下、本発明の無線通信装置を携帯端末に適用した第１実施形態について、図面を参照して説明する。
図１に示す無線通信システム１は、１または２以上の携帯端末２と、携帯端末２と無線通信可能な複数のアクセスポイント６０とを備えた構成をなしている。この無線通信システム１は、例えば複数のアクセスポイント(基地局)６０がＬＡＮ通信網ＮＴに有線接続されており、これらアクセスポイント６０と携帯端末２との間で無線通信（無線ＬＡＮ通信）を行う構成をなしている。
【００１６】
携帯端末２は、ユーザによって携帯されて様々な場所で用いられる携帯型の情報読取端末であって、読み取ったデータ等を、無線通信可能な範囲に存在するアクセスポイント６０を介してサーバ等の外部機器に対して無線通信にて送信するように構成されている。特に、本実施形態に係る携帯端末２は、バーコードや二次元コードなどの情報コードを光学的に読み取る情報コードリーダとしての機能と、無線タグを読み取る無線タグリーダとしての機能とを備え、読み取りを二方式で行うように構成されている。
【００１７】
図２に示すように、携帯端末２は、全体的制御を司る制御部１０を備えており、この制御部１０に、記憶部１１、キー操作部１２、表示部１３、タイマー１４、外部インタフェース１５、無線リーダ部２０、情報コード読取部３０、無線ＬＡＮ通信部４０、電波強度検出部５０などが接続されている。
【００１８】
制御部１０は、マイコンを主体として構成されるものであり、ＣＰＵ、システムバス、入出力インタフェース等を有し、記憶部１１とともに情報処理装置として機能している。キー操作部１２は、複数のキーによって構成され、使用者のキー操作に応じて制御部１０に対して操作信号を与える構成をなしており、制御部１０は、キー操作部１２から操作信号を受けたとき、その操作信号に応じた動作を行うように構成されている。
【００１９】
表示部１３は、例えば液晶表示器などによって構成されており、制御部１０によって表示内容が制御されるように構成されている。また、タイマー１４は、公知の時計回路、タイマー回路などによって構成されており、複数種類の経過時間などを計測可能であって、その計測結果を制御部１０に出力するように構成されている。また、外部インタフェース１５は、外部（例えばホスト装置）との間でのデータ通信（例えば、ケーブルを介したシリアル通信等）を行うためのインタフェースとして構成されており、制御部１０と協働して通信処理を行う構成をなしている。また、携帯端末２には、電源となるバッテリ１６や電源部１７が設けられており、これらによって制御部１０や各種電気部品に電力が供給されている。
【００２０】
無線リーダ部２０は、ハードウェアとしては公知の無線タグリーダとして構成され、アンテナ２５及び制御部１０と協働して無線タグとの間で電磁波による通信を行い、無線タグに記憶されるデータの読み取り、或いは無線タグへのデータの書き込みを行うように機能している。この無線リーダ部２０は、公知の電波方式で伝送を行う回路として構成されており、送信回路、受信回路、整合回路などによって構成されている。
【００２１】
情報コード読取部３０は、ハードウェアとしては公知の情報コードリーダとして構成され、ＣＣＤエリアセンサなどからなる受光センサ、結像レンズ、複数個のＬＥＤやレンズ等から構成される照明部などを備えた構成をなしており、制御部１０と協働して読取対象物に付された情報コード（バーコードやＱＲコード（登録商標）等）を読み取るように機能する。
【００２２】
無線ＬＡＮ通信部４０は、例えば、公知の無線ＬＡＮ規格（IEEE 802.11等）に基づいて無線ＬＡＮ通信を行う無線ＬＡＮインタフェースとして構成されており、予め定められたプロトコルに従ってアクセスポイント６０などの基地局と無線通信を行うように構成されている。本実施形態では、携帯端末２とアクセスポイント６０とが、例えば、ＷＥＰ( Wired Equivalent Privacy )などによって暗号化された通信パケットを用いて互いに無線通信を行うように構成されている。
【００２３】
電波強度検出部５０は、公知の電波強度検出回路によって構成されており、無線ＬＡＮ通信部４０が受信した受信電波（即ち、無線ＬＡＮ通信部４０が接続しているアクセスポイント６０からの受信電波）の電波強度（受信電力強度）を検出し、制御部１０に出力するように構成されている。
【００２４】
次に、携帯端末２が無線通信時に利用するアクセスポイント６０の概略構成について、図３を参照して説明する。
アクセスポイント６０は、ハードウェア的には公知の無線ＬＡＮアクセスポイントとして構成されており、図３に示すように、主として、アンテナ６１と、無線送受信部６２と、入力部６４と、メモリ６５と、通信インタフェース６６と、制御回路６８とを有している。無線送受信部６２は、例えば公知の無線ＬＡＮ規格（例えば、IEEE 802.11等）に基づいて無線ＬＡＮ通信を行うインタフェースとして構成されており、アンテナ６１を介して電波を用いた無線信号を送受信するように構成されている。
【００２５】
入力部６４は、各種情報を入力し得る部分であり、操作ボタンなどによって構成されている。また、メモリ６５は、ＲＯＭ、ＲＡＭ、不揮発性メモリなどによって構成されており、各種情報を記憶し得るように構成されている。例えば、携帯端末２を無線ＬＡＮクライアント装置として識別するためのＭＡＣ（Media Access Control）アドレスや、携帯端末２との間で送受信されるデータの暗号化に用いる暗号キーなども登録されている。また、通信インタフェース６６は、ＬＡＮ通信網ＮＴ等を介して外部機器と有線通信を行うためのインタフェースとして構成されている。
【００２６】
次に、携帯端末２で行われるアクセスポイント探索処理について、図４を参照して説明する。
本実施形態では、実際に接続したアクセスポイント６０との接続実績をデータベース化（リスト化）した実績データを利用して、無線通信時に利用するアクセスポイント６０を探索するアクセスポイント探索処理を行う。これにより、携帯端末２の通信可能な範囲に多くのアクセスポイント６０が存在する場合や携帯端末２として使用可能なチャネルが多い場合であっても、アクセスポイント６０の探索時間を短縮することができる。
【００２７】
以下、制御部１０にて行われるアクセスポイント探索処理について、図４に示すフローチャートを参照して詳述する。なお、図５に示すように、アクセスポイント情報としてアクセスポイント名「１００１」から特定されるアクセスポイントを６０ａ、アクセスポイント名「１００２」から特定されるアクセスポイントを６０ｂ、アクセスポイント名「１００３」から特定されるアクセスポイントを６０ｃとして説明する。
【００２８】
制御部１０によりアクセスポイント探索処理が開始されると、まず、図４のステップＳ１０１の判定処理にて、利用可能な実績データが記憶部１１に構築されている状態であるか否かについて判定される。ここで、後述するように実績データが消去された後であってアクセスポイント６０と接続した実績が記録されていない場合や後述するように実績不足状態である場合には、利用可能な実績データが記憶部１１に構築されていないとして、ステップＳ１０１にてＮｏと判定されて、ステップＳ１０３にて探索処理がなされる。この処理では、電波強度検出部５０により、無線ＬＡＮ通信部４０を利用して各チャネルごとにそれぞれのアクセスポイント６０と接続する際の電波強度が検出されて、電波強度の強いアクセスポイント６０を探索して通信対象として選択するための処理がなされる。なお、上記ステップＳ１０３の処理を行う制御部１０は、「選択部」の一例に相当し得る。
【００２９】
続いて、ステップＳ１０５の判定処理にて、探索されたアクセスポイント６０への接続が成功したか否かについて判定され、無線通信可能な範囲にアクセスポイント６０が無いか最も強い電波強度が規定値未満となるような場合には、アクセスポイント６０への接続が失敗したとして（Ｓ１０５でＮｏ）、本アクセスポイント探索処理が終了する。
【００３０】
一方、無線ＬＡＮ通信部４０を利用したアクセスポイント６０への接続が成功していると（Ｓ１０５でＹｅｓ）、ステップＳ１０７の処理にて、タイマー１４を利用したカウントがスタートし、そのアクセスポイント６０に接続している接続時間の計測が開始される。そして、接続しているアクセスポイント６０の電波強度が規定値以上であって（Ｓ１０９でＹｅｓ）、所定の終了操作がなされない場合には（Ｓ１１１でＮｏ）、そのアクセスポイント６０に接続している接続時間の計測が継続される。なお、タイマー１４及び制御部１０は、「計測部」の一例に相当し得る。
【００３１】
このように接続時間の計測が継続されている状態から、携帯端末２を所持しているユーザが移動することで、無線ＬＡＮ通信部４０を利用して接続しているアクセスポイント６０の電波強度が規定値未満になると（Ｓ１０９でＮｏ）、アクセスポイント６０との無線通信が遮断されたとして、タイマー１４を利用した接続時間の計測が停止される（Ｓ１１３）。続いて、ステップＳ１１５にて実績データ更新処理がなされ、上記遮断までに計測された接続時間が、接続していたアクセスポイント６０を特定するアクセスポイント情報に関連付けられて累積されるように記憶部１１に記憶される。
【００３２】
そして、再び、ステップＳ１０１の判定処理にて、利用可能な実績データが記憶部１１に構築されている状態であるか否かについて判定される。ここで、記憶部１１に記憶される最も長い接続時間が予め設定される規定時間未満となるような状態では、実績不足状態であり、利用可能な実績データが記憶部１１に構築されていないとして（Ｓ１０１でＮｏ）上記ステップＳ１０３以降の処理がなされる。
【００３３】
例えば、上記規定時間が２０秒であり、上記ステップＳ１１５にて更新された実績データにおいて、図５（Ａ）に示すように、アクセスポイント６０ａを特定するアクセスポイント情報としてアクセスポイント名「１００１」とその接続時間とが記憶されており、累積された接続時間が１５秒であると、実績不足状態であり、利用可能な実績データが記憶部１１に構築されていないとして（Ｓ１０１でＮｏ）、上記ステップＳ１０３以降の処理がなされる。
【００３４】
その後、例えば、図５（Ｂ）に示すように、探索された他のアクセスポイント６０ｂ，６０ｃの接続時間が累積されるように記憶部１１に記憶されても、最も長い接続時間が上記規定時間未満であると、実績不足状態であり、利用可能な実績データが記憶部１１に構築されていないとして（Ｓ１０１でＮｏ）、上記ステップＳ１０３以降の処理がなされ、計測された接続時間が累積される状態が継続される。
【００３５】
そして、例えば、アクセスポイント６０ａとの無線通信が遮断し（Ｓ１０９でＮｏ）、計測された接続時間が累積されることで（Ｓ１１５）、図５（Ｃ）に示すように、接続時間が４５秒となり上記規定時間以上となると、利用可能な実績データが記憶部１１に構築されているとして（Ｓ１０１でＹｅｓ）、ステップＳ１１７に示す選択処理がなされる。この処理では、記憶部１１に記憶される最も長い接続時間に対応するアクセスポイント情報から特定されるアクセスポイント６０が選択される。上述した例では、接続時間が上記規定時間以上となるアクセスポイント６０ａが選択される。そして、この選択されたアクセスポイント６０ａを介して無線通信するための処理がなされる。なお、上記ステップＳ１１７の処理を行う制御部１０は、「選択部」の一例に相当し得る。
【００３６】
続いて、ステップＳ１１９に示す判定処理にて、上述のように選択されたアクセスポイント６０ａへの接続が成功したか否かについて判定される。ここで、上述のように接続時間が累積された直後ではそのアクセスポイント６０ａでの電波強度が規定値未満となっているために、接続が失敗し（Ｓ１１９でＮｏ）、上記ステップＳ１０３以降の処理がなされる。
【００３７】
その後、例えば、アクセスポイント６０ｃが探索されて（Ｓ１０３）、そのアクセスポイント６０ｃでの接続時間が図５（Ｄ）に示すように累積されるように記憶部１１に記憶されると（Ｓ１１５）、再度ステップＳ１０１の判定処理がなされる。そして、図５（Ｄ）に示すように各接続時間が累積されている場合には、上記規定時間以上であって最も長い接続時間に関連付けられるアクセスポイント６０ａが選択され（Ｓ１１７）、その接続が成功すると（Ｓ１１９でＹｅｓ）、上記ステップＳ１０７以降の処理がなされて、接続時間を計測する状態が継続される。
【００３８】
このように、計測された接続時間が累積される状態において、所定の終了操作がなされると（Ｓ１１１でＹｅｓ）、タイマー１４を利用した接続時間の計測が停止されて（Ｓ１２１）、計測された接続時間がアクセスポイント情報に関連付けられて累積されるように記憶部１１に記憶され（Ｓ１２３）、本アクセスポイント探索処理が終了する。
【００３９】
このように終了した場合、記憶部１１に記憶されている実績データは、ユーザによる実績データを消去するための処理がなされるまで記憶部１１から消去されずに、次回以降のアクセスポイント探索処理にて利用される。すなわち、前回実行したアクセスポイント探索処理にて実績データが記憶部１１に累積されて記憶されている場合には（Ｓ１０１でＹｅｓ）、直ちにその実績データに基づいてアクセスポイント６０が選択されるため（Ｓ１１７）、アクセスポイント６０の探索時間を確実に短縮することができる。
【００４０】
以上説明したように、本実施形態に係る携帯端末２では、制御部１０にてなされるアクセスポイント探索処理において、無線ＬＡＮ通信部４０による無線通信の際にアクセスポイント６０に接続している接続時間がタイマー１４を利用して計測され、この計測開始後にアクセスポイント６０との通信が遮断されると、当該遮断までに計測された接続時間が、当該アクセスポイント６０を特定するアクセスポイント情報に関連付けられて累積されるように記憶部１１に記憶される。そして、記憶部１１にアクセスポイント情報及び接続時間を含めた実績データが十分に記憶されていないと判定されると（Ｓ１０１でＮｏ）、電波強度検出部５０にて検出される電波強度に応じてアクセスポイント６０が選択され、記憶部１１に上記実績データが十分に記憶されていると判定されると（Ｓ１０１でＹｅｓ）、当該実績データにおいて関連付けられる接続時間が最も長いアクセスポイント情報から特定されるアクセスポイント６０が選択される（Ｓ１１７）。
【００４１】
これにより、記憶部１１に実績データとしてアクセスポイント情報が記憶されるアクセスポイントは接続実績が有り、その中でも接続時間が長いアクセスポイント６０に接続した場合には、電波強度が強くなることが想定される。このため、記憶部１１に記憶される実績データにおいて関連付けられる接続時間が最も長いアクセスポイント情報から特定されるアクセスポイント６０を選択して、この選択されたアクセスポイント６０を介して無線通信を行うことで、接続実績に基づいてアクセスポイント６０を選択できるだけでなく、使用可能なチャネルごとにアクセスポイント６０を探索する必要もない。したがって、アクセスポイント６０の探索時間を短縮して探索処理に要する消費電力の低減を図ることができる。
【００４２】
本実施形態の第１変形例として、図６に例示するアクセスポイント探索処理のように、無線ＬＡＮ通信部４０にて無線通信が開始されてから所定時間経過するまでステップＳ１２５の判定処理にてＮｏと判定されて、電波強度検出部５０にて検出される電波強度に応じてアクセスポイント６０が選択され、上記所定時間が経過すると（Ｓ１２５でＹｅｓ）、実績データが記憶部１１に記憶される場合に（Ｓ１０１でＹｅｓ）、この実績データにおいて関連付けられる接続時間が最も長いアクセスポイント情報から特定されるアクセスポイント６０が選択されてもよい。
【００４３】
これにより、上記所定時間経過するまでは電波強度が高いアクセスポイント６０を探索するための探索処理が必要になるが、その所定時間を利用して周囲環境に応じたアクセスポイント情報やその接続時間が実績データとして記憶部１１に累積されやすくなる。このため、その周囲環境により適したアクセスポイント６０を選択しやすくなり、不適切なアクセスポイント６０が選択され難くなるので、上記所定時間が経過してから以降のアクセスポイント６０の探索時間を確実に短縮することができる。
【００４４】
なお、図６に例示するアクセスポイント探索処理を実行する携帯端末２は、上記所定時間を調整可能な調整部を備えるように構成されてもよい。すなわち、例えば、調整部として機能するキー操作部１２に対する所定の操作等に応じて上記所定時間を調整可能に構成されてもよい。これにより例えば、アクセスポイント６０が少ない環境で使用する場合にはアクセスポイント６０が多い環境で使用するよりも上記所定時間を短く調整するなど、その使用環境に適するように上記所定時間を調整することができる。
【００４５】
また、本実施形態の第２変形例として、接続時間及びアクセスポイント情報を含めた実績データは、所定のタイミングにて記憶部１１から消去されてもよい。具体的には、例えば、一定時間経過した時や電源投入時、ユーザによる所定の操作時などの所定のタイミングで、記憶部１１に記憶される上記実績データを消去することができる。すなわち、例えば、別の場所に移動等することで使用環境が変化した場合でも、上記所定のタイミングとなることで、その変化した使用環境に適したアクセスポイント６０を選択しやすい実績データを迅速に再構築することができる。
【００４６】
なお、本発明は上記実施形態に限定されるものではなく、例えば、以下のように具体化してもよい。
（１）アクセスポイント探索処理では、記憶部１１に記憶される実績データにおいて関連付けられる接続時間が最も長いアクセスポイント情報から特定されるアクセスポイント６０を選択した際の接続が失敗した場合に、上記ステップＳ１０３以降の処理を行うことに限らず、他の接続時間に関連付けられるアクセスポイント情報から特定されるアクセスポイント６０を選択して接続するようにしてもよい。具体的には、上記規定時間以上となる他の接続時間が記憶部１１に記憶されている場合に、接続時間が長くなる順に関連付けられるアクセスポイント情報から特定されるアクセスポイント６０を選択して接続するようにしてもよい。
【００４７】
（２）本発明は、情報コードリーダとしての機能と無線タグを読み取る無線タグリーダとしての機能とを兼ね備える携帯端末に適用されることに限らず、複数のアクセスポイント６０のいずれか１つと無線通信を行う無線通信装置であれば適用でき、他の機能を備える携帯端末や据え置き型の端末にも適用することができる。
【符号の説明】
【００４８】
２…携帯端末（無線通信装置）
１０…制御部（選択部）
１１…記憶部
１４…タイマー（計測部）
４０…無線ＬＡＮ通信部（通信部）
５０…電波強度検出部（検出部）
６０，６０ａ〜６０ｃ…アクセスポイント
【図１】
2020027998.tif 000003
【図２】
2020027998.tif 000004
【図３】
2020027998.tif 000005
【図４】
2020027998.tif 000006
【図５】
2020027998.tif 000007
【図６】
2020027998.tif 000008